【手続補正書】
【提出日】平成29年1月25日(2017.1.25)
【手続補正１】
【補正対象書類名】明細書
【補正対象項目名】００３８
【補正方法】変更
【補正の内容】
【００３８】
様々な例を記載してきた。これらの例及び他の例は、以下の特許請求の範囲内にある。本発明の実施態様の一部を以下の項目１−２０に記載する。
［１］
ディスペンサーであって、
ハウジング；
分注される流体の供給を収容する該ハウジング内に位置付けられたリザーバ；
該リザーバから分離量の該流体を分注するように構成された分注機構であって、
該ハウジングの外側で接近できる第１のレバー部、第２のレバー部、及び該第１のレバー部と該第２のレバー部との間で連結され、該第１のレバー部への入力の作用時に該レバー部材が休止位置と分注位置との間を動くことができるように、該ハウジング内に枢動可能に支持される、支点を有するレバー部材；及び
該レバー部材が該休止位置から該分注位置へ動かされるときに、該第２のレバー部との少なくとも２つの接点を与えるように構成された、アクチュエーターであって、第１の該少なくとも２つの接点のうちの１つで与えられるメカニカルアドバンテージが、第２の該少なくとも２つの接点のうちの１つで与えられるメカニカルアドバンテージよりも大きく、かつ該第１の接点で該アクチュエーターに作用される出力が、該第２の接点で該アクチュエーターに作用される出力よりも大きい、アクチュエーター、
を含む、分注機構、
を含む、ディスペンサー。
［２］
該レバー部材が、プッシュバー、プッシュボタン、又はハンドルのうちの１つを含む、項目１に記載のディスペンサー。
［３］
該レバー部材が、該休止位置と該分注位置との間で、ユーザーによって手動で動かすことのできるものである、項目１に記載のディスペンサー。
［４］
該第１の該少なくとも２つの接点のうちの１つの駆動長が、該第２の該少なくとも２つの接点のうちの１つにより与えられる駆動長よりも比較的短い、項目１に記載のディスペンサー。
［５］
該第１のレバー部が長さａを有し、該第２のレバー部が長さｂを有し、該第１の接点が、該第２のレバー部の該長さｂよりも比較的少ない駆動長ｃを有し、該第１の接点により与えられるメカニカルアドバンテージＭＡshortが、
【数１】
2016513048.tif 000001
である、項目１に記載のディスペンサー。
［６］
該第１のレバー部が長さａを有し、該第２のレバー部が長さｂを有し、該第２の接点が該第２のレバー部の該長さｂと実質的に等しい駆動長を有し、該第２の接点により与えられるメカニカルアドバンテージＭＡlongが、
【数２】
2016513048.tif 000002
である、項目１に記載のディスペンサー。
［７］
該入力が５重量ポンド（ｌｂｆ）（２２．２４Ｎ）以下である、項目１に記載のディスペンサー。
［８］
該アクチュエーターが、分注ストロークの第１の部分の間に、該第１の接点で、該第２のレバー部からの出力の作用を受容するように構成された第１の接触面、及び分注ストロークの第２の部分の間に、該第２の接点で、該第２のレバー部からの出力の作用を受容するように構成された第２の接触面、をさらに含む、項目１に記載のディスペンサー。
［９］
ポンプをさらに含む項目１に記載のディスペンサーであって、該アクチュエーターが、該出力の作用に応じて、該ポンプを機械的に作動させ、これにより該リザーバから該分離量の該流体が分注される、ディスペンサー。
［１０］
該流体製品が、液体、ゲル、又は泡のうちの１つを含む、項目１に記載のディスペンサー。
［１１］
該アクチュエーターが、該レバー部材が該休止位置から該分注位置へ動かされるときに、該第２のレバー部との連続して変化する接点を与える湾曲した接触面を与えるように構成されている、項目１に記載のディスペンサー。
［１２］
ディスペンサーであって、
ハウジング；
分注される流体の供給を収容する該ハウジング内に位置付けられたリザーバ；及び
該リザーバから分離量の該流体を分注するように構成された分注機構であって、
該ハウジングの外側で接近できる第１のレバー部、第２のレバー部、及び該第１のレバー部と該第２のレバー部との間で連結され、該第１のレバー部への入力の作用時に該レバー部材が休止位置と分注位置との間を動くことができるように、該ハウジング内に枢動可能に支持される、支点を有するレバー部材であって、該レバー部材が該休止位置と該分注位置との間を動くことにより、該第２のレバー部によって出力が作用される、レバー部材；
該第２のレバー部からの該出力の作用を受容するように構成されたアクチュエーター；
該アクチュエーターからの該出力を受容し、対応する分注力を該リザーバに作用させて該リザーバから該分離量の流体を分注するように構成されたポンプ、
を含む、分注機構、
を含み、
該第２のレバー部は、該レバー部材が該休止位置から該分注位置へ動かされるときに、該アクチュエーターとの少なくとも２つの接点を与えるように構成され、第１の該少なくとも２つの接点のうちの１つで与えられるメカニカルアドバンテージが、第２の該少なくとも２つの接点のうちの１つで与えられるメカニカルアドバンテージよりも大きく、かつ該第１の接点で該アクチュエーターに作用される出力が、該第２の接点で該アクチュエーターに作用される出力よりも大きい、ディスペンサー。
［１３］
該第１の該少なくとも２つの接点のうちの１つの駆動長が、該第２の該少なくとも２つの接点のうちの１つにより与えられる駆動長よりも比較的短い、項目１２に記載のディスペンサー。
［１４］
該第２のレバー部が、分注ストロークの第１の部分の間に該アクチュエーターに該出力を作用させるように構成された、第１の接触面、及び該分注ストロークの第２の部分の間に該アクチュエーターに該出力を作用させるように構成された、第２の接触面、をさらに含む、項目１２に記載のディスペンサー。
［１５］
該流体製品が、液体、ゲル、又は泡のうちの１つを含む、項目１２に記載のディスペンサー。
［１６］
該レバー部材が、プッシュバー、プッシュボタン、又はハンドルのうちの１つを含む、項目１２に記載のディスペンサー。
［１７］
ディスペンサーであって、
ハウジング；
分注される流体の供給を収容する該ハウジング内に位置付けられたリザーバ；
該リザーバから分離量の該流体を分注するように構成された分注機構であって、
該ハウジングの外側で接近できる第１のレバー部、第２のレバー部、及び該第１のレバー部と該第２のレバー部との間で連結され、該第１のレバー部への入力の作用時に該レバー部材が休止位置と分注位置との間を動くことができるように、かつ該レバー部材が該休止位置と該分注位置との間を動くことによって、該第２のレバー部により対応する出力が作用されるように、該ハウジング内に枢動可能に支持される、支点を有する、レバー部材；及び
該第２のレバー部からの該出力の作用を受容することによって、該リザーバから該分離量の該流体を分注するように構成されたアクチュエーター、
を含む、分注機構、
を含み、
該レバー部材及び該アクチュエーターは、該レバー部材が該休止位置から該分注位置へ動かされるときに、該アクチュエーターと該第２のレバー部との間に少なくとも２つの接触面を与えるように作動可能であり、第１の該少なくとも２つの接触面のうちの１つで与えられるメカニカルアドバンテージが、第２の該少なくとも２つの接触面のうちの１つで与えられるメカニカルアドバンテージよりも大きく、かつ該第１の接触面に対応する該出力が、該第２の接触面に対応する該出力よりも大きい、ディスペンサー。
［１８］
該第１の該少なくとも２つの接触面のうちの１つの駆動長が、該第２の該少なくとも２つの接点のうちの１つにより与えられる駆動長よりも比較的短い、項目１７に記載のディスペンサー。
［１９］
該流体製品が、液体、ゲル、又は泡のうちの１つを含む、項目１７に記載のディスペンサー。
［２０］
該レバー部材が、プッシュバー、プッシュボタン、又はハンドルのうちの１つを含む、項目１７に記載のディスペンサー。
【手続補正２】
【補正対象書類名】特許請求の範囲
【補正対象項目名】全文
【補正方法】変更
【補正の内容】
【特許請求の範囲】
【請求項１】
ディスペンサーであって、
ハウジング；
分注される流体の供給を収容する該ハウジング内に位置付けられたリザーバ；
該リザーバから分離量の該流体を分注するように構成された分注機構であって、
該ハウジングの外側で接近できる第１のレバー部、第２のレバー部、及び該第１のレバー部と該第２のレバー部との間で連結され、該第１のレバー部への入力の作用時に該レバー部材が休止位置と分注位置との間を動くことができるように、該ハウジング内に枢動可能に支持される、支点を有するレバー部材；及び
該レバー部材が該休止位置から該分注位置へ動かされるときに、該第２のレバー部との２つの接点を与えるように構成された、アクチュエーターであって、該アクチュエーターは該２つの接点のうち第１の接点で該第２のレバー部と接触する第１の接触面及び該２つの接点のうち第２の接点で該第２のレバー部に接触する第２の接触面を有し、該第１の接点で与えられるメカニカルアドバンテージが、該第２の接点で与えられるメカニカルアドバンテージよりも大きく、かつ該第１の接点で該アクチュエーターに作用される出力が、該第２の接点で該アクチュエーターに作用される出力よりも大きい、アクチュエーター、
を含む、分注機構、
を含む、ディスペンサー。
【請求項２】
該レバー部材が、プッシュバー、プッシュボタン、又はハンドルのうちの１つを含む、請求項１に記載のディスペンサー。
【請求項３】
該レバー部材が、該休止位置と該分注位置との間で、ユーザーによって手動で動かすことのできるものである、請求項１に記載のディスペンサー。
【請求項４】
該第１の接点の駆動長が、該第２の接点により与えられる駆動長よりも比較的短い、請求項１に記載のディスペンサー。
【請求項５】
該第１のレバー部が長さａを有し、該第２のレバー部が長さｂを有し、該第１の接点が、該第２のレバー部の該長さｂよりも比較的少ない駆動長ｃを有し、該第１の接点により与えられるメカニカルアドバンテージＭＡshortが、
【数１】
2016513048.tif 000003
である、請求項１に記載のディスペンサー。
【請求項６】
該第１のレバー部が長さａを有し、該第２のレバー部が長さｂを有し、該第２の接点が該第２のレバー部の該長さｂと実質的に等しい駆動長を有し、該第２の接点により与えられるメカニカルアドバンテージＭＡlongが、
【数２】
2016513048.tif 000004
である、請求項１に記載のディスペンサー。
【請求項７】
該入力が５重量ポンド（ｌｂｆ）（２２．２４Ｎ）以下である、請求項１に記載のディスペンサー。
【請求項８】
該アクチュエーターが、分注ストロークの第１の部分の間に、該第１の接点で、該第２のレバー部からの出力の作用を受容するように構成された第１の接触面、及び分注ストロークの第２の部分の間に、該第２の接点で、該第２のレバー部からの出力の作用を受容するように構成された第２の接触面、をさらに含む、請求項１に記載のディスペンサー。
【請求項９】
ポンプをさらに含む請求項１に記載のディスペンサーであって、該アクチュエーターが、該出力の作用に応じて、該ポンプを機械的に作動させ、これにより該リザーバから該分離量の該流体が分注される、ディスペンサー。
【請求項１０】
該流体製品が、液体、ゲル、又は泡のうちの１つを含む、請求項１に記載のディスペンサー。